(57)【要約】【課題】指定された任意の位置の近傍に位置するいずれかの通信端末装置に対し、発信された通信情報を自動的に着信させることができる通信端末装置、通信制御装置、通信処理システムを提供する。【解決手段】  発信信号を発信する信号送受信部２６、発信信号を着信し得る着信端末装置候補を複数指定する着信端末装置候補指定部２７、指定された複数の着信端末装置候補が移動し得る所定の位置を指定位置として指定する位置指定部２４、着信端末装置候補の現在位置情報を取得する位置情報取得部２３、取得された現在位置情報に基づいて、着信端末装置候補となる通信端末装置１ｂ、１ｃのうちの指定位置を含む所定の範囲内に位置する通信端末装置を着信端末装置として決定する着信端末装置決定部２５を発信端末装置となる通信端末装置１ａに設ける。【選択図】  図２
2008177833.tif 000002
【特許請求の範囲】
【請求項１】
発信信号の着信先となる着信通信端末装置を決定する通信端末装置であって、
発信信号を発信する信号発信手段と、
前記発信信号を着信し得る通信端末装置である着信通信端末装置候補を複数指定する着信通信端末装置候補指定手段と、
前記着信通信端末装置候補指定手段によって指定された複数の着信通信端末装置候補が移動し得る所定の位置を指定位置として指定する位置指定手段と、
前記着信通信端末装置候補の現在位置を示す現在位置情報を取得する現在位置情報取得手段と、
前記現在位置情報取得手段によって取得された前記現在位置情報に基づいて、複数の前記着信通信端末装置候補のうちの前記位置指定手段によって指定された指定位置を含む所定の範囲内に位置する着信通信端末装置候補を前記着信通信端末装置として決定する着信通信端末装置決定手段と、
を備えることを特徴とする通信端末装置。
【請求項２】
前記位置指定手段は、通信領域内の各エリアに付された識別子であるエリアコードを使って指定位置を指定することを特徴とする請求項１に記載の通信端末装置。
【請求項３】
発信信号を発信する信号発信手段と、当該発信信号を着信し得る通信端末装置である着信通信端末装置候補を複数指定する着信通信端末装置候補指定手段と、当該着信通信端末装置候補指定手段によって指定された複数の着信通信端末装置候補が移動し得る所定の位置を指定位置として指定する位置指定手段と、前記着信通信端末装置候補の現在位置を示す現在位置情報を取得する現在位置情報取得手段と、当該現在位置情報取得手段によって取得された前記現在位置情報に基づいて、複数の前記着信通信端末装置候補のうちの前記位置指定手段によって指定された指定位置を含む所定の範囲内に位置する着信通信端末装置候補を前記着信通信端末装置として決定する着信通信端末装置決定手段と、を有する通信処理システムに適用される通信端末装置であって、
前記信号発信手段と、前記着信通信端末装置候補指定手段と、前記位置指定手段と、を備えることを特徴とする通信端末装置。
【請求項４】
発信信号を発信する信号発信手段と、当該発信信号を着信し得る通信端末装置である着信通信端末装置候補を複数指定する着信通信端末装置候補指定手段と、当該着信通信端末装置候補指定手段によって指定された複数の着信通信端末装置候補が移動し得る所定の位置を指定位置として指定する位置指定手段と、前記着信通信端末装置候補の現在位置を示す現在位置情報を取得する現在位置情報取得手段と、当該現在位置情報取得手段によって取得された前記現在位置情報に基づいて、複数の前記着信通信端末装置候補のうちの前記位置指定手段によって指定された指定位置を含む所定の範囲内に位置する着信通信端末装置候補を前記着信通信端末装置として決定する着信通信端末装置決定手段と、を有する通信処理システムに適用される通信端末装置であって、
前記信号発信手段と、前記着信通信端末装置候補指定手段と、前記位置指定手段と、前記現在位置情報取得手段と、を備えることを特徴とする通信端末装置。
【請求項５】
発信信号を発信する信号発信手段と、当該発信信号を着信し得る通信端末装置である着信通信端末装置候補を複数指定する着信通信端末装置候補指定手段と、当該着信通信端末装置候補指定手段によって指定された複数の着信通信端末装置候補が移動し得る所定の位置を指定位置として指定する位置指定手段と、前記着信通信端末装置候補の現在位置を示す現在位置情報を取得する現在位置情報取得手段と、当該現在位置情報取得手段によって取得された前記現在位置情報に基づいて、複数の前記着信通信端末装置候補のうちの前記位置指定手段によって指定された指定位置を含む所定の範囲内に位置する着信通信端末装置候補を前記着信通信端末装置として決定する着信通信端末装置決定手段と、を有する通信処理システムに適用される通信端末装置であって、
前記信号発信手段と、前記着信通信端末装置候補指定手段と、前記位置指定手段と、前記着信通信端末装置決定手段と、を備えることを特徴とする通信端末装置。
【請求項６】
自装置の現在位置を示す位置情報を取得する自装置位置情報取得手段と、
指定された所定の位置である指定位置の情報を取得する指定位置情報取得手段と、
前記自装置位置情報取得手段によって取得された自装置の現在位置が、前記指定位置情報取得手段によって取得された指定位置を含む所定の範囲内にある場合、自装置が前記指定位置に近接していると判断する近接判断手段と、
前記近接判断手段によって自装置が前記指定位置に近接していると判断された場合、前記発信信号の着信を許可する着信許可手段と、
を備えることを特徴とする通信端末装置。
【請求項７】
自装置の現在位置を示す位置情報を取得する自装置位置情報取得手段と、指定された所定の位置である指定位置の情報を取得する指定位置情報取得手段と、前記自装置位置情報取得手段によって取得された自装置の現在位置が、前記指定位置情報取得手段によって取得された指定位置を含む所定の範囲内にある場合、自装置が前記指定位置に近接していると判断する近接判断手段と、当該近接判断手段によって自装置が前記指定位置に近接していると判断された場合、前記発信信号の着信を許可する着信許可手段と、を有する通信処理システムに適用される通信端末装置であって、
前記自装置位置情報取得手段と、前記指定位置情報取得手段と、を備えることを特徴とする通信端末装置。
【請求項８】
自装置の現在位置を示す位置情報を取得する自装置位置情報取得手段と、指定された所定の位置である指定位置の情報を取得する指定位置情報取得手段と、当該自装置位置情報取得手段によって取得された自装置の現在位置が、前記指定位置情報取得手段によって取得された指定位置を含む所定の範囲内にある場合、自装置が前記指定位置に近接していると判断する近接判断手段と、当該近接判断手段によって自装置が前記指定位置に近接していると判断された場合、前記発信信号の着信を許可する着信許可手段と、を有する通信処理システムに適用される通信端末装置であって、
前記自装置位置情報取得手段と、前記指定位置情報取得手段と、前記近接判断手段と、を備えることを特徴とする通信端末装置。
【請求項９】
複数の通信端末装置の位置を示す位置情報を記憶する位置情報管理手段を備える通信制御装置であって、
発信元となる通信端末装置からの発信信号を着信し得る通信端末装置である着信通信端末装置候補にかかる候補情報を、複数の前記着信端末装置候補について取得する候補情報取得手段と、
指定された所定の位置である指定位置の情報を取得する指定位置情報取得手段と、
前記候補情報取得手段によって取得された候補情報が示す前記着信通信端末装置候補の現在位置を示す現在位置情報を前記位置情報管理手段から取得する現在位置情報取得手段と、
前記現在位置情報取得手段によって取得された現在位置情報に基づいて、複数の前記通信端末装置候補のうちの前記指定位置情報取得手段によって取得された指定位置を含む所定の範囲内に位置する通信端末装置候補を前記着信通信端末装置として決定する着信通信端末装置決定手段と、
を備えることを特徴とする通信制御装置。
【請求項１０】
前記候補情報取得手段によって取得された候補情報が複数の前記着信端末装置候補を含むグループにかかる情報であって、
前記グループを識別するための識別子と当該グループに含まれる複数の前記着信端末装置候補とを対応付ける情報を保存するグループデータ保存手段と、
前記グループデータ保存手段に保存されている情報に基づいて、前記グループに含まれる前記着信端末装置候補の各々を特定する着信端末装置候補特定手段をさらに備えることを特徴とする請求項９に記載の通信制御装置。
【請求項１１】
前記現在位置情報取得手段は、前記通信端末装置の位置情報を、通信領域内の各エリアに付された識別子であるエリアコードとして前記位置情報管理手段から取得することを特徴とする請求項９または１０に記載の通信制御装置。
【請求項１２】
発信元となる通信端末装置からの発信信号を着信し得る通信端末装置である着信通信端末装置候補にかかる候補情報を、複数の前記着信端末装置候補について取得する候補情報取得手段と、指定された所定の位置である指定位置の情報を取得する指定位置情報取得手段と、前記候補情報取得手段によって取得された候補情報が示す前記着信通信端末装置候補の現在位置を示す現在位置情報を、複数の通信端末装置の位置を示す位置情報を記憶する位置情報管理手段から取得する現在位置情報取得手段と、当該現在位置情報取得手段によって取得された現在位置情報に基づいて、複数の前記通信端末装置候補のうちの前記指定位置情報取得手段によって取得された指定位置を含む所定の範囲内に位置する通信端末装置候補を前記着信通信端末装置として決定する着信通信端末装置決定手段と、を有する通信処理システムに適用される通信制御装置であって、
前記位置情報管理手段と、前記現在位置情報取得手段と、を備えることを特徴とする通信制御装置。
【請求項１３】
発信元となる通信端末装置からの発信信号を着信し得る通信端末装置である着信通信端末装置候補にかかる候補情報を、複数の前記着信端末装置候補について取得する候補情報取得手段と、指定された所定の位置である指定位置の情報を取得する指定位置情報取得手段と、前記候補情報取得手段によって取得された候補情報が示す前記着信通信端末装置候補の現在位置を示す現在位置情報を、複数の通信端末装置の位置を示す位置情報を記憶する位置情報管理手段から取得する現在位置情報取得手段と、当該現在位置情報取得手段によって取得された現在位置情報に基づいて、複数の前記通信端末装置候補のうちの前記指定位置情報取得手段によって取得された指定位置を含む所定の範囲内に位置する通信端末装置候補を前記着信通信端末装置として決定する着信通信端末装置決定手段と、を有する通信処理システムに適用される通信制御装置であって、
前記位置情報管理手段と、前記候補情報取得手段と、前記現在位置情報取得手段と、を備えることを特徴とする通信制御装置。
【請求項１４】
発信元となる通信端末装置からの発信信号を着信し得る通信端末装置である着信通信端末装置候補にかかる候補情報を、複数の前記着信端末装置候補について取得する候補情報取得手段と、指定された所定の位置である指定位置の情報を取得する指定位置情報取得手段と、前記候補情報取得手段によって取得された候補情報が示す前記着信通信端末装置候補の現在位置を示す現在位置情報を、複数の通信端末装置の位置を示す位置情報を記憶する位置情報管理手段から取得する現在位置情報取得手段と、当該現在位置情報取得手段によって取得された現在位置情報に基づいて、複数の前記通信端末装置候補のうちの前記指定位置情報取得手段によって取得された指定位置を含む所定の範囲内に位置する通信端末装置候補を前記着信通信端末装置として決定する着信通信端末装置決定手段と、を有する通信処理システムに適用される通信制御装置であって、
前記位置情報管理手段と、前記指定位置情報取得手段と、前記現在位置情報取得手段と、を備えることを特徴とする通信制御装置。
【請求項１５】
発信元となる通信端末装置からの発信信号を着信し得る通信端末装置である着信通信端末装置候補にかかる候補情報を、複数の前記着信端末装置候補について取得する候補情報取得手段と、指定された所定の位置である指定位置の情報を取得する指定位置情報取得手段と、前記候補情報取得手段によって取得された候補情報が示す前記着信通信端末装置候補の現在位置を示す現在位置情報を、複数の通信端末装置の位置を示す位置情報を記憶する位置情報管理手段から取得する現在位置情報取得手段と、当該現在位置情報取得手段によって取得された現在位置情報に基づいて、複数の前記通信端末装置候補のうちの前記指定位置情報取得手段によって取得された指定位置を含む所定の範囲内に位置する通信端末装置候補を前記着信通信端末装置として決定する着信通信端末装置決定手段と、を有する通信処理システムに適用される通信制御装置であって、
前記位置情報管理手段と、前記候補情報取得手段と、前記指定位置情報取得手段と、前記現在位置情報取得手段と、を備えることを特徴とする通信制御装置。
【請求項１６】
発信元となる通信端末装置からの発信信号を着信し得る通信端末装置である着信通信端末装置候補にかかる候補情報を、複数の前記着信端末装置候補について取得する候補情報取得手段と、指定された所定の位置である指定位置の情報を取得する指定位置情報取得手段と、前記候補情報取得手段によって取得された候補情報が示す前記着信通信端末装置候補の現在位置を示す現在位置情報を、複数の通信端末装置の位置を示す位置情報を記憶する位置情報管理手段から取得する現在位置情報取得手段と、当該現在位置情報取得手段によって取得された現在位置情報に基づいて、複数の前記通信端末装置候補のうちの前記指定位置情報取得手段によって取得された指定位置を含む所定の範囲内に位置する通信端末装置候補を前記着信通信端末装置として決定する着信通信端末装置決定手段と、を有する通信処理システムに適用される通信制御装置であって、
前記位置情報管理手段と、前記指定位置情報取得手段と、前記現在位置情報取得手段と、前記着信通信端末装置決定手段と、を備えることを特徴とする通信制御装置。
【請求項１７】
発信信号を発信する通信端末装置である発信通信端末装置と、前記発信信号を受信し得る通信端末装置である着信通信端末装置候補と、前記発信通信端末装置と前記着信通信端末装置候補との間の通信を制御する通信制御装置と、を含む通信処理システムであって、
指定された所定の位置である指定位置の情報を取得する指定位置情報取得手段と、
複数の前記着信通信端末装置候補の現在位置を示す現在位置情報を取得する現在位置情報取得手段と、
前記指定位置情報取得手段によって取得された指定位置、前記現在位置情報取得手段によって取得された前記現在位置情報に基づいて、複数の前記着信通信端末装置候補から前記着信通信端末装置を決定する着信通信端末装置決定手段と、
を備え、
前記指定位置情報取得手段が前記発信通信端末装置、前記着信通信端末装置候補、前記通信制御装置のいずれかに備えられ、
前記現在位置情報取得手段が前記発信通信端末装置、前記着信通信端末装置候補、前記通信制御装置のいずれかに備えられ、
前記着信通信端末装置決定手段が前記発信通信端末装置、前記着信通信端末装置候補、前記通信制御装置のいずれかに備えられることを特徴とする通信処理システム。
【請求項１８】
前記着信通信端末装置決定手段は、前記現在位置情報に基づいて、複数の前記着信通信端末装置候補のうちの前記指定位置を含む所定の範囲内に位置する前記着信通信端末装置候補を前記着信通信端末装置として決定することを特徴とする請求項１７に記載の通信処理システム。
【請求項１９】
発信信号の着信先となる着信通信端末装置を決定する通信制御プログラムであって、
コンピュータを、
自装置が発信した発信信号を着信し得る通信端末装置である着信通信端末装置候補を複数指定する着信通信端末装置候補指定手段と、
前記着信通信端末装置候補指定手段によって指定された複数の着信通信端末装置候補が移動し得る所定の位置を指定位置として指定する位置指定手段と、
前記着信通信端末装置候補の現在位置を示す現在位置情報を取得する現在位置情報取得手段と、
前記現在位置情報取得手段によって取得された前記現在位置情報に基づいて、複数の前記着信通信端末装置候補のうちの前記指定位置を含む所定の範囲内に位置する着信通信端末装置候補を前記着信通信端末装置として決定する着信通信端末装置決定手段と、
として機能させることを特徴とする通信制御プログラム。
【請求項２０】
コンピュータを、
自装置の現在位置を示す位置情報を取得する自装置位置情報取得手段と、
指定された所定の位置である指定位置の情報を取得する指定位置情報取得手段と、
前記自装置位置情報取得手段によって取得された自装置の現在位置が、前記指定位置情報取得手段によって取得された指定位置を含む所定の範囲内にある場合、自装置が前記指定位置に近接していると判断する近接判断手段と、
前記近接判断手段によって自装置が前記指定位置に近接していると判断された場合、前記発信信号の着信を許可する着信許可手段と、
として機能させることを特徴とする通信制御プログラム。
【請求項２１】
コンピュータを、
発信信号を着信し得る通信端末装置である複数の着信通信端末装置候補にかかる候補情報を取得する候補情報取得手段と、
指定された所定の位置である指定位置の情報を取得する指定位置情報取得手段と、
前記候補情報取得手段によって取得された候補情報が示す前記着信通信端末装置候補の現在位置を示す現在位置情報を、複数の通信端末装置候補の位置を示す位置情報を記憶する位置情報管理手段から取得する現在位置情報取得手段と、
前記現在位置情報取得手段によって取得された現在位置情報に基づいて、複数の前記着信通信端末装置候補のうちの前記指定位置を含む所定の範囲内に位置する着信通信端末装置候補を前記着信通信端末装置として決定する着信通信端末装置決定手段と、
として機能させることを特徴とする通信制御プログラム。
【発明の詳細な説明】
【技術分野】
【０００１】
本発明は、通信端末装置、通信制御装置、通信処理システム、通信制御プログラムにかかり、特に移動可能な携帯式の通信端末装置、携帯式の通信端末装置を制御する通信制御装置、携帯式の通信端末装置を含む通信処理システム、通信制御プログラムに関する。
【背景技術】
【０００２】
携帯電話機等の携帯可能な通信端末装置では、一般的に通信端末装置が発信した位置を無線基地局単位で把握することが可能である。現在、この点を利用して通信端末装置の位置に基づいて通信を制御する技術が開発、実用化されている。
このような従来技術として、例えば、特許文献１が挙げられる。特許文献１に記載された発明では、代表番号となる電話番号に複数の営業所等の固定電話の電話番号が関連付けられているデータベースを予め記憶しておく。なお、データベースは、固定電話の契約時に電話事業者に届けられる住所と電話番号等を対応付けて作成されたものである。
【０００３】
そして、通信端末装置が代表番号に発信すると、営業所等の番号のうちの通信端末装置に最も近い位置にある営業所等を検出する。検出された営業所等の電話に発信された通信信号を着信させることにより、複数の営業所等のうち発信地に最も近い所にある営業所との通話が可能になる。
このような特許文献１によれば、ユーザが例えばタクシー会社に電話してタクシーを呼ぶ場合、営業所のうちユーザの現在地に最も近い営業所を自動的に選択して直接電話することが可能になる。このため、本社や他の営業所等においてユーザの現在地を確認し、現在地に最も近い営業所にユーザの依頼を伝えるといったオペレータの作業を省くことができる。
【０００４】
ただし、上記した引用文献１は、自動的にユーザの現在位置に最も近い営業所の電話に着信させるので、ユーザが現在地と異なる場所でタクシーに乗りたい場合には目的の場所に着いてからでないと発信することができなかった。
この点を解消できる従来技術として、例えば、特許文献２が挙げられる。特許文献２の発明では、予め定められた所定の位置と情報とを情報処理装置に登録しておく。そして、通信端末装置がネットワークを介して発信し、登録されている位置に通信端末装置が達したタイミングで情報処理装置が通信端末装置に情報を提供している。このようにすれば、ユーザに対し、情報を必要な場所で提供することができる。
【特許文献１】特開２００２−２３２５６７号公報
【特許文献２】特開２００１−１１９７６１号公報
【発明の開示】
【発明が解決しようとする課題】
【０００５】
しかしながら、特許文献１、特許文献２の従来技術は、いずれも、例えば、複数のユーザが待ち合わせた場合、待ち合わせ場所にいる不特定のユーザに連絡を取りたい場合等に適用することができない。したがって、このような場合、従来では、待ち合わせの場所に着いている可能性のあるユーザに電話をかけ、待ち合わせ場所に着いたか否かを聞かなければならなかった。
つまり、特許文献１、特許文献２のいずれの発明も、発信したユーザの位置に基づいて通信を制御している。したがって、着信先となる通信端末装置の位置に基づいて通信の発信、着信を制御することは考えられていない。
本発明は、上記した点に鑑みてなされたものであって、指定された任意の位置の近傍に位置するいずれかの通信端末装置に対し、発信された通信情報を自動的に着信させることができる通信端末装置、通信制御装置、通信処理システム、通信制御プログラムを提供することを目的とする。
【課題を解決するための手段】
【０００６】
以上の課題を解決するため、本発明の請求項１に記載の通信端末装置は、発信信号の着信先となる着信通信端末装置を決定する通信端末装置であって、発信信号を発信する信号発信手段と、前記発信信号を着信し得る通信端末装置である着信通信端末装置候補を複数指定する着信通信端末装置候補指定手段と、前記着信通信端末装置候補指定手段によって指定された複数の着信通信端末装置候補が移動し得る所定の位置を指定位置として指定する位置指定手段と、前記着信通信端末装置候補の現在位置を示す現在位置情報を取得する現在位置情報取得手段と、前記現在位置情報取得手段によって取得された前記現在位置情報に基づいて、複数の前記着信通信端末装置候補のうちの前記位置指定手段によって指定された指定位置を含む所定の範囲内に位置する着信通信端末装置候補を前記着信通信端末装置として決定する着信通信端末装置決定手段と、を備えることを特徴とする。このように構成することにより、発信端末の指定した位置にある端末にのみ発信信号を着信させることができる。また、着信通信端末装置の決定を、発信信号を発信した通信端末装置において実行することができる。このため、指定された任意の位置の近傍にいるいずれかの通信端末装置に対し、発信された通信情報を自動的に着信させる動作を、通信端末装置の機能を追加するだけで実現でき、サーバ等の構成を変更する必要がない。
【０００７】
また、本発明の請求項２に記載の通信端末装置は、請求項１に記載の発明において、前記位置指定手段が、通信領域内の複数のエリアに付された識別子であるエリアコードを使って指定位置を指定することを特徴とする。このように構成することにより、基地局が発進するエリアコードを位置情報に使用することができる。このため、ＧＰＳ等の機能を用いることなく簡易な構成で本発明を実現することが可能になる。
また、本発明の請求項３ないし５に記載の発明は、信号を発信する通信端末装置が、システムが備える位置指定手段、現在位置情報取得手段、着信通信端末装置決定手段のうちのいずれか一部を備え、他の手段を他の通信端末装置等に分散することもできるので、通信処理システムの設計の自由度を高めることができる。
【０００８】
また、本発明の請求項６に記載の通信端末装置は、自装置の現在位置を示す位置情報を取得する自装置位置情報取得手段と、指定された所定の位置である指定位置の情報を取得する指定位置情報取得手段と、前記自装置位置情報取得手段によって取得された自装置の現在位置が、前記指定位置情報取得手段によって取得された指定位置を含む所定の範囲内にある場合、自装置が前記指定位置に近接していると判断する近接判断手段と、前記近接判断手段によって自装置が前記指定位置に近接していると判断された場合、前記発信信号の着信を許可する着信許可手段と、を備えることを特徴とする。このように構成することにより、着信通信端末装置の決定を、着信側の通信端末装置において実行することができる。このため、複数の着信通信端末装置候補の現在位置を管理する構成が必要なく、着信通信端末装置の決定にかかる処理が簡易になる。また、サーバ等の構成を変更する必要がない。
また、本発明の請求項７または８に記載の発明は、着信通信端末装置になり得る通信端末装置が、システムが備える指定位置情報取得手段、近接判断手段、着信許可手段のうちのいずれか一部を備え、他の手段を他の通信端末装置等に分散することもできるので、通信処理システムの設計の自由度を高めることができる。
【０００９】
また、本発明の請求項９に記載の通信制御装置は、複数の通信端末装置の位置を示す位置情報を記憶する位置情報管理手段を備える通信制御装置であって、発信元となる通信端末装置からの発信信号を着信し得る通信端末装置である着信通信端末装置候補にかかる候補情報を、複数の前記着信端末装置候補について取得する候補情報取得手段と、指定された所定の位置である指定位置の情報を取得する指定位置情報取得手段と、前記候補情報取得手段によって取得された候補情報が示す前記着信通信端末装置候補の現在位置を示す現在位置情報を前記位置情報管理手段から取得する現在位置情報取得手段と、前記現在位置情報取得手段によって取得された現在位置情報に基づいて、複数の前記通信端末装置候補のうちの前記指定位置情報取得手段によって取得された指定位置を含む所定の範囲内に位置する通信端末装置候補を前記着信通信端末装置として決定する着信通信端末装置決定手段と、を備えることを特徴とする。このように構成することにより、着信通信端末装置の決定を、通信制御装置において実行することができる。このため、発信側、着信側のいずれの通信端末装置にも負荷をかけることなく指定位置に近い通信端末装置に発信信号を着信させることが可能となる。
【００１０】
また、本発明の請求項１０に記載の通信制御装置は、請求項１６に記載の発明において、前記候補情報取得手段によって取得された候補情報が複数の前記着信端末装置候補を含むグループにかかる情報であって、前記グループを識別するための識別子と当該グループに含まれる複数の前記着信端末装置とを対応付ける情報を保存するグループデータ保存手段と、前記グループデータ保存手段に保存されている情報に基づいて、前記グループに含まれる前記着信端末装置候補の各々を特定する着信端末装置候補特定手段をさらに備えることを特徴とする。このように構成することにより、発信信号に含まれるグループの識別子から各通信端末装置を特定することが可能になる。このため、各通信端末装置のユーザＩＤ等の識別番号を、グループ番号を使って呼び出すことができるため、着信通信端末装置の指定にかかるユーザの負荷を軽減することが可能になる。
【００１１】
また、本発明の請求項１１に記載の通信制御装置は、請求項１６または１７に記載の発明において、前記現在位置情報取得手段が、前記通信端末装置の位置情報を、通信領域内の各エリアに付された識別子であるエリアコードとして前記位置情報管理手段から取得することを特徴とする。このように構成すれば、発信通信端末装置がエリアコードを使って指定した指定位置と着信通信端末装置の位置との比較を簡易にすることができる。
また、本発明の請求項１２ないし請求項１６に記載の通信制御装置は、システムが備える候補情報取得手段、指定位置情報取得手段、現在位置情報取得手段、着信通信端末装置決定手段のうちのいずれか一部を備え、他の手段を他の通信端末装置等に分散することもできるので、通信処理システムの設計の自由度を高めることができる。
【００１２】
また、請求項１７に記載の通信処理システムは、発信信号を発信する通信端末装置である発信通信端末装置と、前記発信信号を受信し得る通信端末装置である着信通信端末装置候補と、前記発信通信端末装置と前記着信通信端末装置候補との間の通信を制御する通信制御装置と、を含む通信処理システムであって、指定された所定の位置である指定位置の情報を取得する指定位置情報取得手段と、複数の前記着信通信端末装置候補の現在位置を示す現在位置情報を取得する現在位置情報取得手段と、前記指定位置情報取得手段によって取得された指定位置、前記現在位置情報取得手段によって取得された前記現在位置情報に基づいて、複数の前記着信通信端末装置候補から前記着信通信端末装置を決定する着信通信端末装置決定手段と、を備え、前記指定位置情報取得手段が前記発信通信端末装置、前記着信通信端末装置候補、前記通信制御装置のいずれかに備えられ、前記現在位置情報取得手段が前記発信通信端末装置、前記着信通信端末装置候補、前記通信制御装置のいずれかに備えられ、前記着信通信端末装置決定手段が前記発信通信端末装置、前記着信通信端末装置候補、前記通信制御装置のいずれかに備えられることを特徴とする。このように構成することにより、発信端末の指定した位置にある端末にのみ発信信号を着信させることができる。また、着信通信端末装置の決定を、発信通信端末装置、着信通信端末装置、通信制御装置のいずれに指定位置情報取得手段、指定位置情報取得手段、着信通信端末装置決定手段を備えてもよいので、通信処理システムの設計の自由度を高めることができる。
【００１３】
また、請求項１８に記載の通信処理システムは、請求項１７に記載の発明において、前記着信通信端末装置決定手段が、前記現在位置情報に基づいて、複数の前記着信通信端末装置候補のうちの前記指定位置を含む所定の範囲内に位置する前記着信通信端末装置候補を前記着信通信端末装置として決定することを特徴とする。このように構成することにより、指定された任意の位置の近傍にいるいずれかの通信端末装置に対して通信情報を自動的に着信させることができる。
【００１４】
また、請求項１９に記載の通信制御プログラムは、発信信号の着信先となる着信通信端末装置を決定する通信制御プログラムであって、コンピュータを、自装置が発信した発信信号を着信し得る通信端末装置である着信通信端末装置候補を複数指定する着信通信端末装置候補指定手段と、前記着信通信端末装置候補指定手段によって指定された複数の着信通信端末装置候補が移動し得る所定の位置を指定位置として指定する位置指定手段と、前記着信通信端末装置候補の現在位置を示す現在位置情報を取得する現在位置情報取得手段と、前記現在位置情報取得手段によって取得された前記現在位置情報に基づいて、複数の前記着信通信端末装置候補のうちの前記指定位置を含む所定の範囲内に位置する着信通信端末装置候補を前記着信通信端末装置として決定する着信通信端末装置決定手段と、として機能させることを特徴とする。このように構成することにより、発信信号を発信した通信端末装置に対し、指定された任意の位置の近傍にいるいずれかの通信端末装置に発信された通信情報を自動的に着信させる動作を実行するための機能を追加することができる。
【００１５】
また、請求項２０に記載の通信制御プログラムは、コンピュータを、自装置の現在位置を示す位置情報を取得する自装置位置情報取得手段と、指定された所定の位置である指定位置の情報を取得する指定位置情報取得手段と、前記自装置位置情報取得手段によって取得された自装置の現在位置が、前記指定位置情報取得手段によって取得された指定位置を含む所定の範囲内にある場合、自装置が前記指定位置に近接していると判断する近接判断手段と、前記近接判断手段によって自装置が前記指定位置に近接していると判断された場合、前記発信信号の着信を許可する着信許可手段と、として機能させることを特徴とする。このように構成することにより、着信通信端末装置になり得る通信端末装置に対し、指定された任意の位置の近傍にいるいずれかの通信端末装置に発信された通信情報を自動的に着信させる動作を実行するための機能を追加することができる。
【００１６】
また、請求項２１に記載の通信制御プログラムは、コンピュータを、発信信号を着信し得る通信端末装置である複数の着信通信端末装置候補にかかる候補情報を取得する候補情報取得手段と、指定された所定の位置である指定位置の情報を取得する指定位置情報取得手段と、前記候補情報取得手段によって取得された候補情報が示す前記着信通信端末装置候補の現在位置を示す現在位置情報を、複数の通信端末装置候補の位置を示す位置情報を記憶する位置情報管理手段から取得する現在位置情報取得手段と、前記現在位置情報取得手段によって取得された現在位置情報に基づいて、複数の前記着信通信端末装置候補のうちの前記指定位置を含む所定の範囲内に位置する着信通信端末装置候補を前記着信通信端末装置として決定する着信通信端末装置決定手段と、として機能させることを特徴とする。このように構成することにより、通信処理システムの通信制御装置に対し、指定された任意の位置の近傍にいるいずれかの通信端末装置に発信された通信情報を自動的に着信させる動作を実行するための機能を追加することができる。
【発明の効果】
【００１７】
以上述べた本発明の通信端末装置、通信制御装置、通信処理システム、通信制御プログラムは、指定された任意の位置の近傍にいるいずれかの通信端末装置を選択し、選択された通信端末装置に対してだけ通信情報を自動的に着信させることができる。
【発明を実施するための最良の形態】
【００１８】
以下、図を参照し、本発明の通信端末装置、通信制御装置、通信処理システム、通信制御プログラムの実施形態１、実施形態２、実施形態３について説明する。
(実施形態１）
・システム構成
図１は、本発明の実施形態に共通の図であって、通信処理システムの概略構成を説明するための図である。通信処理システムは、移動可能な通信端末装置１ａ、１ｂ、１ｃ、通信端末装置１ａ〜１ｃの発信した信号（発信信号）を無線で受信する基地局２、複数の基地局２を制御する基地局制御部３、通信端末装置１ａ〜１ｃの位置情報の変更の受付等をする交換機４、通信端末装置１ａ〜１ｃの現在位置の情報を一定の範囲分保存する地域レジスタ５、通信端末装置１ａ〜１ｃのユーザＩＤや電話番号等を管理するデータベースであるホームレジスタ６を含んでいる。実施形態１では、通信端末装置１ａ〜１ｃをいずれも携帯電話機とする。
【００１９】
本発明の実施形態１では、いずれも通信端末装置１ａ〜１ｃと基地局２とは無線ネットワークで、基地局２と、より上位の構成は有線ネットワークによって接続されている。
また、図示した通信処理システムによって通信が制御される範囲において、一つの基地局２によって送信される信号が届く範囲がセルＳであって、エリアａは、複数のセルＳを含む範囲である。
【００２０】
以上の構成において、実施形態１では、通信端末装置１ａ〜1ｃが着信通信端末装置（以降着信端末装置と記す）、着信通信端末装置候補（着信端末装置候補）、発信通信端末装置（発信端末装置）のいずれにもなり得る。また、地域レジスタ５が通信制御装置として機能し、基地局２、基地局制御部３、交換機４が通信端末装置１ａ〜１ｃ、地域レジスタ５の通信に使用される。
【００２１】
基地局２は、ビーコンを７２０ｍｍ秒という短い周期で発信している。ビーコンにはビーコンを発信した基地局２があるエリアａを示す信号が含まれている。通信端末装置１ａ〜１ｃは、電源がオンされるとビーコンを受信し、ビーコンを発信した基地局２にユーザＩＤを含む信号を送信して登録を要求する。ユーザＩＤとは、通信端末装置１ａ〜１ｃを特定するために通信端末装置１ａ〜１ｃの各々に付された識別子である。
【００２２】
登録の要求は、基地局２がユーザＩＤと基地局２が管理するエリアａを示す情報（エリアコード）を含む信号を、基地局制御部３、交換機４を介して地域レジスタ５に送信することによって行われる。エリアコードとは、通信領域内の所定の範囲（エリア）の各々に付された識別子である。エリアは、例えば、図１に示したセルＳ、あるいはエリアａを基準にして定められた範囲であってもよい。
【００２３】
信号に含まれるユーザＩＤとエリアコードは、地域レジスタ５に登録される。このため、地域レジスタ５には、どのエリアａに通信端末装置１ａ〜１ｃのいずれが存在しているのかを示すデータが蓄積される。登録されたデータは、実施形態１の現在地情報となる。
また、地域レジスタ５は、ユーザＩＤと自装置を特定するための情報（番号等）を含む信号をホームレジスタ６に送信する。ホームレジスタ６には、予め全ての通信端末装置１ａ〜１ｃのユーザＩＤが電話番号と対応付けてられて保存されている。ホームレジスタ６は、地域レジスタ５から送信された信号に含まれる地域レジスタ５に関する情報を、ユーザＩＤに対応付けて保存する。
【００２４】
また、通信端末装置１ａ〜１ｃは、ＧＰＳ（Global Positioning System）を利用して自装置の現在位置の情報を取得することができる。ＧＰＳは、衛星７が発信する電波を利用した現在位置の測定システムであって、カーナビゲーションシステム等において周知の構成である。実施形態１では、通信端末装置１ａ〜１ｃがＧＰＳによって取得されたデータも現在位置情報（ＧＰＳ情報とも記す）を基地局２に送信するものとする。送信されたＧＰＳ情報は、地域レジスタ５やホームレジスタ６においてユーザＩＤと共に通信端末装置１ａ〜１ｃの現在位置を示す情報として登録される。
また、以上のように構成された通信処理システムにおいて、各実施形態では、主に地域レジスタ５が信端末装置によって送信された送信信号の着信先を決定する通信処理装置として機能する。
【００２５】
図２は、図１に示したシステムのうち、通信端末装置１ａ〜１ｃと地域レジスタ５の実施形態１にかかる構成を説明するための図である。図示した構成では、通信端末装置１ａが発信端末装置として信号を発信し、発信された信号（発信信号）は通信端末装置１ｂ、１ｃのいずれかに着信する。実施形態１では、通信端末装置１ｂ、１ｃが着信端末装置になり得るため、通信端末装置１ｂ、１ｃを着信端末装置候補とも記す。着信端末装置１ｂ、１ｃのうち発信信号が実際に着信したものが着信端末装置である。
【００２６】
以上述べた実施形態１のシステムでは、地域レジスタ５が、通信端末装置１ａ〜１ｃの各々の位置を示す位置情報を保存、更新する。地域レジスタ５は、各通信端末装置のユーザＩＤ、このユーザＩＤを持つ通信端末装置の現在位置のエリアコード、ＧＰＳ情報を位置情報として保存するＤＢ（Data Base）２２と、ＤＢ２２に保存されている位置情報を最新の情報に更新する、あるいは必要に応じて着信端末装置候補の位置情報を抽出する位置情報管理部２１を備えている。ＤＢ２２、位置情報管理部２１は、実施形態１の位置情報管理手段に相当する。
【００２７】
位置情報管理部２１がＤＢ２２に保存されている位置情報を管理するための管理テーブルを図３に例示する。図示した例では、複数の通信端末装置のユーザＩＤに対応付けられて各通信端末装置の位置情報がエリアコードに変換されて保存されている。
なお、エリアの範囲を小さい範囲に設定するほど通信端末装置の位置情報を高い精度で特定することが可能である。
【００２８】
また、実施形態１では、通信端末装置１ａ〜１ｃによって送信されたＧＰＳ情報をも地域レジスタ５のＤＢ２２に保存しておくものとする。ＧＰＳ情報を位置情報として使用すれば、エリアコードによって通信端末装置１ａ〜１ｃの位置を特定するよりも一般的に高い精度で通信端末装置１ａ〜１ｃの位置を特定することができる。
さらに、実施形態１では、各ユーザＩＤを有する通信端末装置１ａ〜１ｃの電話番号等の情報を通信端末装置情報として保存してもよい。電話番号は、ホームレジスタ６から取得することが可能である。
また、地域レジスタ５は、基地局２、基地局制御部３、交換機４（以降総称して基地局２等と記す）を介して通信端末装置１ａ〜１ｃと通信していて、この通信を制御するための通信制御部２９を備えている。
【００２９】
また、発信端末装置である通信端末装置１ａは、発信信号の着信先となる着信端末装置を決定する。このため、通信端末装置１ａは、信号を発信する信号送受信部２６、発信信号を着信し得る通信端末装置１ｂ、１ｃを着信端末装置候補として指定する着信端末装置候補指定部２７、指定された複数の着信端末装置候補が移動し得る所定の位置を指定位置として指定する位置指定部２４、着信端末装置候補に指定された通信端末装置１ｂ、１ｃの現在位置を示す現在位置情報を取得する位置情報取得部２３、取得された現在位置情報に基づいて、通信端末装置１ｂ、１ｃのうち指定位置を含む所定の範囲内に位置するものを着信端末装置として決定する着信端末装置決定部２５を備えている。
【００３０】
実施形態１では、位置指定部２４による位置の指定が、先に述べたエリアコードを使って行われるものとする。
以上の構成において、信号送受信部２６は信号発信手段、着信端末装置候補指定部２７が着信通信端末装置候補指定手段、位置指定部２４が位置指定手段、位置情報取得部２３が現在位置情報取得手段、着信端末装置決定部２５が着信通信端末装置決定手段に相当する。
【００３１】
（１）着信端末装置の決定
実施形態１において、着信端末装置の決定は、以下のように行われる。
・着信端末装置候補の指定
着信端末装置候補の指定は、例えば、ユーザが通信端末装置１ａの図示しない操作部を使って入力することができる。実施形態１では、着信端末装置候補指定部２７が、発信端末装置１ａにおいて複数の通信端末装置の識別子をグループ化して保存しておく。そして、ユーザがグループに付された番号を呼び出した場合にグループに含まれる複数の通信端末装置に発信することができる。このような発信は、グループ発信として周知の技術であるから、これ以上の説明を省くものとする。
【００３２】
・指定位置の指定
指定位置の指定は、位置指定部２４が、通信端末装置１ａが信号の発呼に先立って、端末アプリケーションを使ってエリアコードを指定する信号を発信させることによって可能である。より詳細には、例えば、以下のようにして実現できる。
すなわち、ホームレジスタ６は、図示しない関門交換機やゲートウェイ装置を介してインターネットと接続することが可能である。位置指定部２４は、インターネット上の図示しないサーバから地図を表示するための地図情報を取得し、表示された地図上の任意の位置を指定位置に指定する操作を促す操作画面を携帯電話機のディスプレイに表示する。
【００３３】
ユーザが任意の位置を図３に示したエリアコードを入力する等の方法によって指定位置に指定すると、指定位置の情報が着信端末装置決定部２５に送られる。着信端末装置決定部２５は、指定位置に関する情報を通信端末装置１ｂ、１ｃの位置と比較するために保存する。
なお、指定位置の指定は、地図上で指定する構成に限定されるものでなく、例えば住所等を指定することも可能である。このような場合、位置指定部２４は、住所と、この住所を含むエリアのエリアコードを特定して保存してもよい。また、住所を緯度、経度に変換して保存してもよい。
【００３４】
・着信端末装置の決定
着信端末装置の決定は、着信端末装置決定部２５によって行われる。位置情報取得部２３は、一定の周期で着信端末装置候補の位置情報を受信する。受信された位置情報は、着信端末装置決定部２５に送られ、着信端末装置決定部２５は、着信端末装置候補の現在位置を把握している。
また、着信端末装置決定部２５には、位置指定部２４から指定位置の情報が送られてきている。着信端末装置決定部２５は、着信端末装置候補の現在位置と指定位置とを周期的に比較する。そして、着信端末装置候補のうちのいずれかが、指定位置に所定の距離以上近づいた、つまり指定位置を含む所定の範囲内に位置する場合、指定位置に近づいた着信端末装置候補を着信端末装置に決定する。そして、ユーザの操作により、あるいは自動的に、信号送受信部２６が、決定した着信端末装置の電話番号に発呼して電話をかける。
【００３５】
なお、指定位置に所定の距離以上近づいた着信端末装置候補が同時に複数検出された場合、実施形態１では、複数の着信端末装置候補から１つの着信端末装置候補をランダムに選択する。あるいは、発信端末のポリシーに従って１つの着信端末装置候補を着信端末装置に選択して発信する。または、選択されている全ての着信端末候補に対して発信することも考えられる。
全ての着信端末候補に対して発信した場合、いずれかの着信端末装置候補と通信が開始されると、他の着信端末装置候補との通信はなされない。したがって、全ての着信端末装置候補に発信した場合には、最初に通話が開始された着信端末装置候補が着信端末装置に決定することになる。
【００３６】
・動作
次に、実施形態１の通信処理システムの動作を説明する。
図４は、実施形態１の通信処理システムの動作を説明するためのシーケンス図である。
図示したように、着信端末装置候補となる通信端末装置１ｂ、通信端末装置１ｃは、予め自装置の位置情報を位置情報管理部２１にエリアコード、あるいはＧＰＳ情報として送信している（Ｓ３１、Ｓ３２）。この送信は、周期的に行われる。位置情報管理部２１は、送信された位置情報をＤＢ２２に登録し、先に登録された位置情報を最新の位置情報に更新している。
【００３７】
通信端末装置1ａでは、位置情報取得部２３が、基地局２等及び通信制御部２９を介して位置情報管理部２１に通信端末装置１ｂ、１ｃの位置情報を要求する（Ｓ３３）。位置情報管理部２１は、要求された通信端末装置１ｂ、通信端末装置１ｃの位置情報をＤＢ２２から抽出し、通信制御部２９を介して通信端末装置１ａに送信する（Ｓ３４）。通信端末装置1ａによる通信端末装置１ｂ、１ｃの位置情報の要求も周期的に行われるものとする。
【００３８】
なお、図４のシーケンス図では、位置情報の要求に先立って着信端末装置候補指定部２７が通信端末装置１ｂ、１ｃを着信端末装置候補に指定する。そして、通信端末装置１ｂ、１ｃが着信端末装置候補に指定されたことを示す情報が、通信端末装置１ａから位置情報管理部２１に送信されているものとする。
着信端末装置候補の指定後、ユーザは、通信端末装置１ａを操作して指定位置に近い着信端末装置候補に発信しようとする。以下の動作は、ユーザの発信の動作をトリガーとして開始されるものとする。
【００３９】
位置情報取得部２３によって取得された位置情報は、着信端末装置決定部２５に送られる（Ｓ３５）。着信端末装置決定部２５は、位置指定部２４によって指定された指定位置と通信端末装置１ｂ、１ｃの位置情報とを比較する。比較の結果、通信端末装置１ｂ、１ｃのいずれか、あるいは両方が指定位置に所定の距離（しきい値）以上近づいたと判断された場合（Ｓ３６：Ｙｅｓ）、信号送受信部２６が指定位置にしきい値以上近づいた通信端末装置（通信端末装置１ｂとする）に信号を発信する（Ｓ３９）。
【００４０】
また、通信端末装置１ｂ、１ｃのいずれもが指定位置にしきい値以上近づいていない場合（Ｓ３６：Ｎｏ）、着信端末装置決定部２５はユーザに発信すべき通信端末装置がないことを示すメッセージ等を、信号送受信部２６を介して流し、処理を終了する（Ｓ３８）。
次に、以上述べた動作において、実施形態１の通信制御プログラムによって実行される処理を説明する。図５は、実施形態１の通信制御プログラムにより、発信端末装置となる通信端末装置１ａにおいて実行される処理を説明するためのフローチャートである。
【００４１】
発信端末装置で着信端末装置を決定する場合、ユーザは、通信端末装置１ａを操作して着信端末装置候補となる通信端末装置を複数入力する。着信端末装置候補指定部２７は、入力された通信端末装置のＩＤや電話番号等を記憶し、着信端末装置候補の指定が完了する（Ｓ５０１）。
次に、通信端末装置１ａでは、位置情報取得部２３が、位置情報管理部２１に通信端末装置１ｂ、通信端末装置１ｃの位置情報を要求する（Ｓ５０２）。そして、位置情報が取得されたか否か判断し（Ｓ５０３）、位置情報が取得された場合には（Ｓ５０３：Ｙｅｓ）、ユーザが通信端末装置１ａを操作して指定位置の指定をしたか否か、さらに発信信号の発信するための操作をしたか否か判断する（Ｓ５０４、Ｓ５０５）。
【００４２】
なお、位置情報が取得できなかった場合（Ｓ５０３：Ｎｏ）、位置情報の取得処理から所定の時間が経過したか否かを判断する（Ｓ５０９）。所定時間が経過している場合には（Ｓ５０９：Ｙｅｓ）再度位置情報の取得を要求する。また、所定時間が経過していない場合には（Ｓ５０９：Ｎｏ）、待機する。このような処理により、位置情報の周期的な取得が可能になる。なお、ステップＳ５０３、ステップＳ５０９の判断は、複数の通信端末装置の各々について実行されるものとする。
【００４３】
ユーザが指定位置の指定及び信号の発信のための操作をした場合（Ｓ５０４、Ｓ５０５：Ｙｅｓ）、取得されている位置情報に基づいて指定位置を含む所定の範囲内に位置する通信端末装置、つまり指定位置にしきい値以上近づいた通信端末装置があるか否かを判断する（Ｓ５０６）。
ステップＳ５０６の判断の結果、指定位置にしきい値以上近づいた通信端末装置がある場合（Ｓ５０６：Ｙｅｓ）、着信端末装置決定部２５は、この通信端末装置を着信端末装置に決定する（Ｓ５０６）。そして、決定した着信端末装置に発信信号を発信する（Ｓ５０７）。
【００４４】
一方、ステップＳ５０６において、指定位置にしきい値以上近づいた通信端末装置がないと判断された場合（Ｓ５０６：Ｎｏ）、所定時間の経過を待って通信端末装置１ｂ、１ｃの最新の位置情報を取得する。
なお、以上述べたプログラムにより、通信端末装置１ａのコンピュータにおいて、着信通信端末装置候補指定部２７が着信通信端末装置候補指定手段として機能する。また、位置指定部２４が位置指定手段として機能し、位置情報取得部２３が現在位置情報取得手段として機能し、着信端末装置決定部２５が着信通信端末装置決定手段として機能する。
【００４５】
以上述べた実施形態１によれば、着信端末装置の決定を発信端末装置で実行することができる。このため、地域レジスタ５等のサーバの構成を変更することなく本発明を実現することができる。
また、着信端末装置の構成を変更する必要もないため、実施形態１の構成を想定していない通信端末装置をも着信端末装置に指定することができる。
【００４６】
また、以上述べた実施形態１は、通信端末装置１ａが信号発信手段、着信通信端末装置候補指定手段、位置指定手段、現在位置情報取得手段、着信通信端末装置決定手段に相当する構成を全て備えるように構成しているが、本実施形態はこのような構成に限定されるものでなく、通信端末装置１ａが信号発信手段、着信通信端末装置候補指定手段、現在位置情報取得手段としての構成を備え、他の構成を他の通信端末装置あるいは通信制御装置に相当する構成が備えるものであってもよい。
【００４７】
また、通信端末装置１ａが信号発信手段、着信通信端末装置候補指定手段、現在位置情報取得手段としての構成を備え、他の構成を他の通信端末装置あるいは通信制御装置に相当する構成が備えるものであってもよい。また、通信端末装置１ａが信号発信手段、着信通信端末装置候補指定手段、前記着信通信端末装置決定手段としての構成を備え、他の構成を他の通信端末装置あるいは通信制御装置に相当する構成が備えるものであってもよい。
さらに、通信端末装置１ａが信号発信手段、着信通信端末装置候補指定手段、現在位置情報取得手段、着信通信端末装置決定手段としての構成を備え、他の構成を他の通信端末装置あるいは通信制御装置に相当する構成が備えるものであってもよい。
【００４８】
なお、実施形態１の通信端末装置１ａは、地域レジスタ５の位置情報管理部２１から着信端末装置候補の位置情報を取得して着信端末装置を決定するものに限定されるものではない。すなわち、本発明の通信端末装置１ａは、取得した位置情報を発信信号と共に発信することもできる。このような構成は、着信端末装置の決定を発信端末装置以外の構成で実行する場合、着信端末装置を決定する構成の負荷を軽減することができるので、以上のように実施形態１の各機能を分散して配置する構成を考えた場合に有利である。
また、位置情報の発信の方法としては、例えば、着信端末装置候補が位置するエリアのエリアコードを発信信号に付して前記発信信号を発信することが考えられる。
【００４９】
（実施形態２）
次に、本発明の実施形態２の通信処理システム、通信端末装置について説明する。なお、通信処理システムの構成は、実施形態２も実施形態１と同様であるから図示及び説明を省くものとする。ただし、実施形態２は、着信端末装置となる通信端末装置自身が着信端末装置を決定する点で実施形態１と相違する。
実施形態１では、通信処理システムのエリアに通信端末装置１ａ〜1ｃがあるものとしたが、実施形態２では、通信処理システムのエリア内に通信端末装置５１ａ、５１ｂ、５１ｃがあるものとする。
【００５０】
・着信端末装置の決定
図６は、通信端末装置５１ａ、５１ｂ、５１ｃ、地域レジスタ５５の実施形態２にかかる構成について説明するための図である。実施形態２の通信処理システムでは、通信端末装置５１ａが発信端末装置となり、通信端末装置５１ｂが着信端末装置となる。通信端末装置５１ｃは、通信端末装置５１ｂと共に着信端末装置候補となっている。
通信端末装置５１ｂは、自装置の現在位置を示す位置情報を取得する位置情報取得部５３、通信端末装置５１ａにおいて指定された指定位置の情報を取得する指定位置取得部５７、取得された自装置の現在位置が指定位置を含む所定の範囲内にある場合、自装置が指定位置に近接していると判断すると共に、自装置が指定位置に近接していると判断された場合に信号送受信部２６への発信信号の着信を許可する着信判定部５６を備えている。
【００５１】
以上の構成において、位置情報取得部５３が自装置位置情報取得手段、指定位置取得部５７が指定位置情報取得手段、着信判定部５６が近接判断手段及び着信許可手段に相当している。なお、実施形態２では、通信端末装置５１ｃも図示した通信端末装置５１ｂと同様の構成を備えているものとする。
また、実施形態２では、地域レジスタ５５がＤＢ２２、位置情報管理部２１、通信制御部２９の他、端末番号管理部５０を備えているものとする。端末番号管理部５０は、グループ化された通信端末装置のユーザＩＤや電話番号の情報を記憶している記憶装置である。さらに、地域レジスタ５５は、基地局２等との通信を制御する通信制御部２９を備えている。
【００５２】
端末番号管理部５０に記憶されている情報としては、例えば、複数の通信端末装置で構成されたグループの代表番号とグループに含まれる他の通信端末装置のユーザＩＤや電話番号が挙げられる。端末番号管理部５０に記憶されている情報を、図７に例示する。図７に示した例では、グループ番号Ａ、Ｂ、Ｃ、Ｄと、各グループに含まれる通信端末装置ｍ１〜ｍ４のユーザＩＤや電話番号（図中単に番号と記す）とを対応付けたデータが記憶されている。
【００５３】
通信制御部２９は、通信端末装置５１ａによって発信された信号及び基地局２によって送信されたエリアコードを受信する。地域レジスタ５５では、通信制御部２９によって受信された信号を解析することにより、着信端末装置候補を含む通信端末装置のグループ番号と、発信者の指定した指定位置を表すエリアコードが特定できる。
通信端末装置５１ａは、指定位置を示す情報を予め基地局２等を介して着信端末装置となる通信端末装置５１ｂ、５１ｃに送信している。指定位置を示す情報は、エリアコードとして表されるものとする。また、通信端末装置５１ｂ、５１ｃは、ＧＰＳ情報や基地局２によって送信されるエリアコードを取得でき、自装置の現在位置を検出することができる。
【００５４】
通信端末装置５１ｂ、５１ｃの着信判定部５６は、エリアコード等に基づいて指定位置と現在位置とを比較する。そして、自装置の現在位置が指定位置を含む所定の範囲内にあるか否か判断する。自装置が所定の範囲内にある場合、自装置は指定位置に近接していると判断する。そして、自装置が指定位置に近接していることを信号送受信部２６が基地局２等を介して地域レジスタ５５に通知する。
【００５５】
一方、地域レジスタ５５には、通信端末装置５１ａから着信端末装置候補として通信端末装置５１ｂ、５１ｃを指定する情報が通信制御部２９に送信されている。実施形態２では、地域レジスタ５５が発信信号に含まれるグループ番号を各通信端末装置の端末番号に変換する端末番号管理部５０を備えている。このため、通信端末装置５１ａでは、グループ番号を指定することによってグループに含まれる全ての通信端末装置を着信端末装置候補に指定することができる。
【００５６】
また、地域レジスタ５５では、通信制御部２９が基地局２等を介し、通信端末装置５１ａが発信した発信信号を受信している。地域レジスタ５５の端末番号管理部５０は、発信信号に含まれるグループ番号を図７に示したデータと対照し、グループに含まれる通信端末装置の各々を特定する。
地域レジスタ５５は、変換によって得られた複数の電話番号に対応する通信端末装置に対し、各々自装置が指定位置に近接しているか否かを判断するよう要求する。
【００５７】
・動作
次に、実施形態２の通信処理システムの動作を説明する。
図８は、実施形態２の通信処理システムの動作を説明するためのシーケンス図である。
図示したように、発信端末装置である発信端末装置５１ａは、着信端末装置候補となる通信端末装置５１ｂ、５１ｃを含むグループのグループ番号と、指定位置を示すエリアコードを選定する。そして、選定されたグループ番号とエリアコードとに地域レジスタ５５を示す宛先情報を付し、指定位置を示すエリアコードと共に発信する（Ｓ７１）。なお、通信端末装置５１ａにおけるグループの選定及びエリアコードの選定方法は、端末アプリケーションによって事前に設定されているものとする。
【００５８】
地域レジスタ５５の通信制御部２９は、ステップＳ７１において発信された信号を受信する。そして、受信した信号に含まれるグループ番号とエリアコードを検出するグループ番号に含まれる通信端末装置の各々を特定するため、交換機４は、地域レジスタ５５に対して番号変換要求をする（Ｓ７２）。端末番号管理部５０は、グループ番号を通信端末装置５１ｂ、５１ｃのユーザＩＤあるいは電話番号に変換する。なお、実施形態２では、端末番号管理部５０がグループ番号を通信端末装置５１ｂ、５１ｃのユーザＩＤに変換したものとして以降の説明をする。
【００５９】
端末番号管理部５０は、通信端末装置５１ｂ、５１ｃのユーザＩＤを含む信号を通信制御部２９に送る（Ｓ７３）。通信制御部２９は、信号に含まれる情報に基づいて、基地局２等を介して通信端末装置５１ｂ、５１ｃの信号送受信部２６に着信要求を送信する（Ｓ７４）。信号送受信部２６は、着信要求を位置情報取得部５３に送る（Ｓ７５）。位置情報取得部５３は、要求によって基地局２から自装置の位置情報を取得して信号送受信部２６に送る（Ｓ７６）。
【００６０】
信号送受信部２６は、自装置の位置情報を着信判定部５６に送り、着信判定要求を送信する（Ｓ７７）。着信判定部５６は、先に取得されている指定位置と自装置の位置が所定の範囲内にあるか否かを判断する。そして、判断の結果を信号送受信部２６に送信する（Ｓ７８）。この際、着信判定部５６は、自装置が指定位置を含む所定の範囲内にある場合には発信信号の着信を許可すると判断する。また、所定の範囲内にない場合には自装置への着信を許可しないと判断する。
【００６１】
信号送受信部２６は、判断の結果を通信制御部２９に送信する（Ｓ７９）。通信制御部２９からは、通信端末装置５１ａに対し、判断結果に基づくＲＢＴ信号、またはメッセージなどが送信される（Ｓ８０）。ＲＢＴ信号やメッセージは、無線ネットワークを介して送信されるものであってもよい。
通信端末装置５１ａのユーザは、ＲＢＴ信号やメッセージを見て例えば通信端末装置５１ｂが指定位置に近接していると判断し、通信端末装置５１ｂに電話をかけることができる。また、実施形態２は、このような構成に限定されるものでなく、ステップＳ７８においてされた判断の結果に基づいて通信端末装置５１ａが通信端末装置５１ｂに自動的に発呼するよう構成してもよい。
【００６２】
以上述べた実施形態２によれば、着信端末装置が個々に着信の可否を判断するため、多数の通信端末装置の現在位置を取得し、多数の通信端末装置について着信の可否を判断するという処理を分散することができる。このため、着信端末装置の各々にかかる負荷を軽減することができる。
次に、以上述べた動作において、実施形態２の通信制御プログラムによって実行される処理を説明する。図９は、実施形態２の通信制御プログラムにより、着信端末装置となる通信端末装置５１ｂにおいて実行される処理を説明したフローチャートである。
【００６３】
信号送受信部２６及び指定位置取得部５７は、地域レジスタ５５からの着信要求が受信されたか否か判断する（Ｓ９０１）。判断の結果、着信要求がなされない場合（Ｓ９０１：Ｎｏ）、着信要求があるまで待機する。また、着信要求が受信された場合（Ｓ９０１：Ｙｅｓ）、位置情報取得部２３が、位置情報管理部２１に対して自装置の位置情報の取得を要求する（Ｓ９０２）。位置情報取得部２３は、位置情報が取得できたか否か判断する（Ｓ９０３）。位置情報の取得ができなかった場合（Ｓ９０３：Ｎｏ）、所定時間の経過を待って（Ｓ９０７）、位置情報の取得要求を周期的に繰り返す。
【００６４】
実施形態２では、着信要求と共に指定位置が指定されているから、位置情報が取得された場合（Ｓ９０３：Ｙｅｓ）、着信判定部５６が、自装置の位置情報に基づいて指定位置を含む所定の範囲内に自装置が位置するか、つまり自装置が指定位置にしきい値以上近づいた（近接している）か否かを判断する（Ｓ９０４）。
ステップＳ９０４の判断の結果、自装置が指定位置にしきい値以上近づいている場合（Ｓ９０４：Ｙｅｓ）、着信判定部５６は、自装置が着信端末装置になり得ると判断する（Ｓ９０５）。そして、信号送受信部２６を介して地域レジスタ５５に着信を許可することを通知する許可信号を発信する（Ｓ９０６）。許可信号の発信により、通信端末装置５１ａから発信信号が通信端末装置５１ｂに送信され、信号送受信部２６によって着信される。
【００６５】
なお、着信を許可した通信端末装置が複数ある場合、実施形態２では、地域レジスタ５５が複数の着信端末装置から１つの着信端末装置候補をランダムに選択する。あるいは、発信端末のポリシーに従って１つの着信端末装置を着信端末装置に選択する。または、選択されている全ての着信端末候補に対して発信することも考えられる。
一方、ステップＳ９０４において、自装置が指定位置にしきい値以上近づいていないと判断された場合（Ｓ９０４：Ｎｏ）、所定時間の経過を待って再度自装置の最新の位置情報を取得する。
【００６６】
なお、以上述べたプログラムにより、通信端末装置５１ｂのコンピュータにおいて、位置情報取得部２３が自装置位置情報取得手段として機能する。また、指定位置取得部５７が、指定位置情報取得手段として機能し、着信判定部５６が近接判断手段、着信許可手段として機能する。
また、実施形態２では、通信端末装置１ｂが、自装置位置情報取得手段、指定位置情報取得手段、近接判断手段、着信許可手段の全てを備えるように構成されている。しかし、実施形態２は、このような構成に限定されるものでなく、通信端末装置１ｂは自装置位置情報取得手段、近接判断手段としての構成を備え、他の構成を他の通信端末装置あるいは通信制御装置に相当する構成が備えるものであってもよい。
【００６７】
また、通信端末装置１ｂが、自装置位置情報取得手段、着信許可手段として構成を備え、他の構成を他の通信端末装置あるいは通信制御装置に相当する構成が備えるものであってもよい。また、通信端末装置１ｂが、自装置位置情報取得手段、指定位置情報取得手段、着信許可手段としての構成を備え、他の構成を他の通信端末装置あるいは通信制御装置に相当する構成が備えるものであってもよい。
さらに、通信端末装置１ｂが、自装置位置情報取得手段、近接判断手段と、着信許可手段としての構成を備え、他の構成を他の通信端末装置あるいは通信制御装置に相当する構成が備えるものであってもよい。
【００６８】
（実施形態３）
次に、本発明の実施形態３の通信処理システム、通信端末装置、通信制御プログラムについて説明する。なお、通信処理システムの構成は、実施形態３も実施形態１、実施形態２と同様であるから図示及び説明を省くものとする。ただし、実施形態３は、地域レジスタ８５を含む通信制御装置が、着信端末装置を決定する点で実施形態１、実施形態２と相違する。
実施形態３では、通信処理システムのエリア内に通信端末装置８１ａ、８１ｂ、８１ｃがあるものとする。実施形態３では、通信端末装置８１ａが発信端末装置、通信端末装置８１ｂが着信端末装置、通信端末装置８１ｃは通信端末装置８１ｂと共に着信端末装置候補となる。
【００６９】
・着信端末装置の決定
図１０は、通信端末装置８１ａ、８１ｂ、８１ｃ、地域レジスタ８５の実施形態３にかかる構成について説明するための図である。なお、図１０に示した構成のうち、実施形態１、実施形態２で説明した構成と同様の構成については同様の符号を付して示し、説明を一部略すものとする。
地域レジスタ８５は、実施形態１で説明した位置情報管理部２１、ＤＢ２３を備えている。端末位置情報取得部８２は、通信端末装置８１ａ〜８１ｃや基地局２が発進するエリアコードを周期的（例えば１分毎）に取得し、位置情報管理部２１に送っている。位置情報管理部２１は、端末位置情報取得部８２によって取得された位置情報を、ＤＢ２３に送る。ＤＢ２３は、複数の通信端末装置の位置を示す位置情報を記憶する構成であって、ＤＢ２３に記憶されている情報は位置情報管理部２１によって管理され、最新の情報に更新されている。
【００７０】
地域レジスタ８５の通信制御部２９は、発信元となる通信端末装置８１ａからの発信信号を着信し得る複数の通信端末装置である通信端末装置８１ｂ、８１ｃにかかる候補情報を取得する。実施形態３の候補情報は、グループを識別するための識別子を示す信号である。また、通信制御部２９は、通信端末装置８１ａによって指定された指定位置の情報を取得する。通信制御部２９は、実施形態３の候補情報取得手段及び指定位置情報取得手段に相当する。
【００７１】
また、実施形態３においても、通信端末装置８１ａが、通信端末装置８１ｂ、８１ｃを含むグループにかかる情報として候補情報を送信する。
地域レジスタ８５は、グループの識別子であるグループ番号からグループに含まれる複数の通信端末装置の各々を特定する端末番号管理部５０を備えている。端末番号管理部５０は、図７に示したように、グループ番号とグループに含まれる複数の着信端末装置候補とを対応付ける情報を保存している。
【００７２】
このため、実施形態３では、通信制御部２９によって受信された信号を解析することにより、発信者の指定したグループ番号に基づいて、グループに含まれる各着信端末装置候補を特定することができる。このような端末番号管理部５０は、実施形態３のグループデータ保存手段に相当する。
実施形態３の地域レジスタ８５は、取得された候補情報が示す着信端末装置候補となる通信端末装置８１ｂ、８１ｃの現在位置を示す現在位置情報を、ＤＢ２３から取得する端末位置情報取得部８２を備えている。端末位置情報取得部８２は、位置情報管理部２１を介し、通信端末装置８１ｂ、８１ｃの位置情報を、通信領域内の各エリアに付された識別子であるエリアコードとしてＤＢ２３から取得する。
【００７３】
このような実施形態３は、通信端末装置８１ａが指定位置をエリアコードによって指定しているため、取得された位置情報を変換することなくエリアコードとして指定位置と比較することができ、比較の処理を簡易にすることができる。
通信制御部２９は、受信されたグループ番号を端末番号管理部５０に対照してグループに含まれる着信端末装置候補を特定し、各着信端末装置の現在位置情報を端末位置情報取得部８２によって取得させている。このような通信制御部２９は、実施形態３の着信端末装置候補特定手段に相当する。
また、実施形態３の地域レジスタ８５は、端末位置情報取得部８２によって取得された現在位置情報に基づいて、通信端末装置８１ｂ、８１ｃのうちの指定位置を含む所定の範囲内に位置するものを着信端末装置として決定する着信端末装置決定部８０を備えている。
【００７４】
着信端末装置決定部８０は、端末位置情報取得部８２によって取得された通信端末装置８１ｂ、８１ｃのエリアコードと、通信制御部２９によって取得された指定位置のエリアコードとを比較する。そして、指定位置を含む所定の範囲内に位置する通信端末装置があった場合、この通信端末装置を着信端末装置として決定する。このような着信端末装置決定部８０は、実施形態３の着信通信端末装置決定手段に相当する。
なお、所定の範囲内に着信端末装置候補の通信端末装置が複数ある場合、各通信端末装置についてエリアコードを指定位置と比較して着信端末装置を決定する。所定の範囲内に着信端末装置となり得る通信端末装置が存在しない、または、着信端末装置になり得る通信端末装置が複数存在することもある。
【００７５】
・動作
次に、実施形態３の通信処理システムの動作を説明する。
図１１は、実施形態３の通信処理システムの動作を説明するためのシーケンス図である。
図示したように、実施形態３では、発信端末装置である通信端末装置８１ａが、着信端末装置候補のグループと指定位置を示すエリアコードとを選定し、地域レジスタ８５を宛先として信号を発信する（Ｓ９３）。グループの選定、指定位置のエリアコードによる選定は、通信端末装置のアプリケーションによって事前に設定されているものとする。
【００７６】
地域レジスタ８５の通信制御部２９は、ステップＳ９３において発信された信号を受信する。そして、指定されたグループの番号と指定位置のエリアコードとを検出する。
グループ番号から各通信端末装置を識別する番号を検出するために、通信制御部２９は、端末番号管理部５０に対して番号変換要求をする（Ｓ９４）。端末番号管理部５０は、グループ番号を通信端末装置８１ｂ、８１ｃの番号に変換し、通信制御部２９に返信する（Ｓ９５）。
【００７７】
また、通信制御部２９は、端末位置情報取得部８２に対し、通信端末装置８１ｂ、８１ｃのエリアコード取得要求をする（Ｓ９６）。端末位置情報取得部８２は、位置情報管理部２１に通信端末装置８１ｂ、８１ｃのエリアコードを要求する（Ｓ９７）。
位置情報管理部２１には、通信端末装置８１ｂ、８１ｃから定期的に位置情報の登録要求がなされている（Ｓ９１、Ｓ９２）。位置情報管理部２１は、登録要求のあった位置情報をＤＢ２２に保存、更新している。位置情報管理部２１は、要求に応じて通信端末装置８１ｂ、８１ｃのエリアコードをＤＢ２２から読み出し、端末位置情報取得部８２に提供する（Ｓ９８）。
【００７８】
端末位置情報取得部８２は、位置情報管理部２１から取得したエリアコード等を着信端末決定部８０に提供する（Ｓ９９）。着信端末決定部８０は、通信端末装置８１ｂ、８１ｃのエリアコードと通信端末装置８１ａが指定した指定位置のエリアコードとを比較する（Ｓ１００）。エリアコードが一致する等、通信端末装置８１ｂ、８１ｃが指定位置を含む所定の範囲内に位置すると判断できた場合（Ｓ１００：Ｙｅｓ）、着信端末決定部８０は、通信制御部２９に着信処理要求をする。
【００７９】
通信制御部２９は、通信端末装置８１ｂ、８１ｃのうちの指定位置を含む所定の範囲内に位置するもの（通信端末装置８１ｂとする）に対して通常の着信処理を行う（Ｓ１０１）。
一方、エリアコードが一致しなかった場合（Ｓ１００：Ｎｏ）、着信端末決定部８０は、通信端末装置８１ａにＲＢＴ信号、または通信端末装置８１ａ、８１ｂのいずれにも発信信号を着信できない旨のメッセージを送出する（Ｓ１０２、Ｓ１０３）。
【００８０】
次に、以上述べた動作において、実施形態３の通信制御プログラムによって実行される処理を説明する。図１２は、実施形態３の通信制御プログラムにより、通信制御装置となる地域レジスタ８５において実行されるフローチャートを説明するための図である。
通信制御装置で着信端末装置を決定する場合、通信制御部２９は、発信端末装置８１ａから発信信号と共にグループ番号、指定位置のエリアコード等を含む信号を受信したか否か判断する（Ｓ１２０１）。
【００８１】
信号の受信がされた場合（Ｓ１２０１：Ｙｅｓ）、通信制御部２９は、端末番号管理部５０に対して番号変換要求をする。端末番号管理部５０は、グループ番号を通信端末装置８１ｂ、８１ｃの番号に変換する（Ｓ１２０２）。
また、地域レジスタ８５では、端末位置情報取得部８２が、位置情報管理部２１に通信端末装置８１ｂ、通信端末装置８１ｃの位置情報を要求する（Ｓ１２０３）。そして、位置情報が取得されたか否か判断し（Ｓ１２０４）、位置情報が取得された場合には（Ｓ１２０４：Ｙｅｓ）、位置情報に基づいて指定位置を含む所定の範囲内に位置する通信端末装置、つまり指定位置にしきい値以上近づいた通信端末装置があるか否かを判断する（Ｓ１２０５）。
【００８２】
位置情報が取得できなかった場合（Ｓ１２０４：Ｎｏ）、位置情報の取得処理から所定の時間が経過したか否かを判断する（Ｓ１２０８）。所定時間が経過している場合には（Ｓ１２０８：Ｙｅｓ）再度位置情報の取得を要求する。また、所定時間が経過していない場合には（Ｓ１２０８：Ｎｏ）、待機する。
また、ステップＳ１２０５の判断の結果、指定位置にしきい値以上近づいた通信端末装置がある場合（Ｓ１２０５：Ｙｅｓ）、着信端末装置決定部８０は、この通信端末装置を着信端末装置に決定する（Ｓ１２０６）。そして、通信制御部２９を介し、決定した着信端末装置に対する着信のための処理を実行する（Ｓ１２０７）。
【００８３】
一方、ステップＳ１２０５において、指定位置にしきい値以上近づいた通信端末装置がないと判断された場合（Ｓ１２０５：Ｎｏ）、所定時間の経過を待って通信端末装置８１ｂ、８１ｃの最新の位置情報を取得する。
なお、以上述べたプログラムにより、地域レジスタ８５のコンピュータのうち、通信制御部２９が候補情報取得手段、指定位置情報取得手段として機能する。また、端末位置情報取得部８２が現在位置情報取得手段として、着信端末装置決定部８０が着信通信端末装置決定手段として機能する。
【００８４】
以上述べた実施形態３によれば、通信端末装置よりも一般的に処理能力が高い通信制御装置において着信端末装置を決定することができる。また、通信端末装置の構成や仕様の変更を抑えることができる。
また、以上述べた実施形態３は、通信制御装置に相当する地域レジスタ８５が候補情報取得手段、指定位置情報取得手段、現在位置情報取得手段、着信通信端末装置決定手段としての構成を全て備えるものとしている。しかし、実施形態３は、このような構成に限定されるものでなく、地域レジスタ８５が位置情報管理手段、候補情報取得手段としての構成を備え、通信端末装置が他の構成を備えるものであってもよい。また、実施形態３は、地域レジスタ８５が、位置情報管理手段、指定位置情報取得手段としての構成を備え、通信端末装置が他の構成を備えるものであってもよい。
【００８５】
また、地域レジスタ８５が、位置情報管理手段、着信通信端末装置決定手段としての構成を備え、通信端末装置が他の構成を備えるものであってもよい。また、地域レジスタ８５が、位置情報管理手段、候補情報取得手段、指定位置情報取得手段としての構成を備え、通信端末装置が他の構成を備えるものであってもよい。また、地域レジスタ８５が、位置情報管理手段、候補情報取得手段、着信通信端末装置決定手段を備としての構成を備え、通信端末装置が他の構成を備えるものであってもよい。
【００８６】
また、地域レジスタ８５が、位置情報管理手段、指定位置情報取得手段、着信通信端末装置決定手段としての構成を備え、通信端末装置が他の構成を備えるものであってもよい。また、地域レジスタ８５が、位置情報管理手段、候補情報取得手段、指定位置情報取得手段、着信通信端末装置決定手段としての構成を備え、通信端末装置が他の構成を備えるものであってもよい。さらに、地域レジスタ８５が、位置情報管理手段、候補情報取得手段、現在位置情報取得手段、着信通信端末装置決定手段としての構成を備え、通信端末装置が他の構成を備えるものであってもよい。
【００８７】
（変形例）
また、以上述べた実施形態１、実施形態２、実施形態３の変形例として、例えば、以下のような構成が考えられる。すなわち、実施形態１ないし実施形態３では、いずれも着信端末候補の位置を指定位置と比較し、両者が所定の範囲内にある場合に発信信号を着信端末装置候補に着信させている。これに対し、変形例は、指定位置を含む所定の範囲外にある着信端末装置候補を選択する。そして、選択された着信端末装置候補を着信端末装置にして発信信号を着信させる。
このような変形例は、発信端末装置が指定した指定位置を含む地域以外に位置する通信端末装置にだけ着信をさせることができる。例えば、海外にいる人には着信させたくない場合や、待ち合わせ場所にいない人と連絡を取りたい場合にこの変形例は効果を奏する。
【産業上の利用可能性】
【００８８】
以上述べた本発明は、移動可能な通信端末装置、通信端末装置を制御する通信制御装置、移送可能な通信端末装置を含む通信処理システムに適用できる。特に、ユーザが日常携帯し、待ち合わせ時の連絡等に使用される通信端末装置、通信端末装置を制御する通信制御装置、移送可能な通信端末装置を含む通信処理システムに適用した場合に効果的である。
【図面の簡単な説明】
【００８９】
【図１】本発明の実施形態１ないし実施形態３に共通の、通信処理システムの概略構成を説明するための図である。
【図２】図１に示したシステムのうち、通信端末装置と地域レジスタの実施形態１にかかる構成を説明するための図である。
【図３】図１に示したＤＢに保存されている位置情報を管理するための管理テーブルを例示した図である。
【図４】実施形態１の通信処理システムの動作を説明するためのシーケンス図である。
【図５】実施形態１の通信制御プログラムにより、発信端末装置となる通信端末装置において実行される処理を説明するためのフローチャートである。
【図６】実施形態２の通信端末装置と地域レジスタの構成を説明するための図である。
【図７】図６に示した端末番号管理部に記憶されている情報を例示した図である。
【図８】実施形態２の通信処理システムの動作を説明するためのシーケンス図である。
【図９】実施形態２の通信制御プログラムにより、着信端末装置となる通信端末装置において実行される処理を説明したフローチャートである。
【図１０】実施形態３の通信端末装置と地域レジスタの構成を説明するための図である。
【図１１】実施形態３の通信処理システムの動作を説明するためのシーケンス図である。
【図１２】実施形態３の通信制御プログラムにより、通信制御装置となる地域レジスタにおいて実行されるフローチャートを説明するための図である。
【符号の説明】
【００９０】
１ａ，１ｂ，１ｃ，５１ａ，５１ｂ，５１ｃ，８１ａ，８１ｂ，８１ｃ  通信端末装置
２  基地局
３  基地局制御部
４  交換機
５，５５，８５  地域レジスタ
６  ホームレジスタ
２１  位置情報管理部
２３  位置情報取得部
２４  位置指定部
２５  着信端末装置決定部
２６  信号送受信部
２７  着信端末装置候補指定部
２９  通信制御部
５０  端末番号管理部
８２  端末位置情報取得部
８５  地域レジスタ
【図１】
2008177833.tif 000003
【図２】
2008177833.tif 000004
【図３】
2008177833.tif 000005
【図４】
2008177833.tif 000006
【図５】
2008177833.tif 000007
【図６】
2008177833.tif 000008
【図７】
2008177833.tif 000009
【図８】
2008177833.tif 000010
【図９】
2008177833.tif 000011
【図１０】
2008177833.tif 000012
【図１１】
2008177833.tif 000013
【図１２】
2008177833.tif 000014